(57)【特許請求の範囲】
【請求項１】
植立穀稈を左右に分草する分草体（８）と分草後の穀稈を引き起す引起し装置（９）と引起し後の穀稈を刈り取る刈取装置（１０）と刈取穀稈を掻込搬送する掻込搬送装置（１１）等からなる刈取前処理部（４Ｆ）を刈取横移動用駆動手段（１４）を介して左右方向に移動可能に装備し、該刈取前処理部（４Ｆ）の未刈地側横側部には、左右外側方に張り出す分草作用姿勢と機体側に収納する収納姿勢とに切替可能なナローガイド（１６）を設け、該ナローガイド（１６）に左右方向に伸縮自在な屈伸リンク（１７）を連結するにあたり、該屈伸リンク（１７）に備えた第１リンク（１７ａ）の基部を刈取前処理部（４Ｆ）における未刈地側の部位に上下方向の回動軸（２０）で軸支し、該第１リンク（１７ａ）の先端部に回動自在に連結した第２リンク（１７ｂ）の先端部をナローガイド（１６）に回動自在に連結した構成とし、運転操作部近くに設けた操作レバー（１８）の操作によって前記第１リンク（１７ａ）を平面視で反時計方向に回動させることで屈伸リンク（１７）を伸長作動させてナローガイド（１６）を機体外方へ押し出して分草作用姿勢に切り替え、操作レバー（１８）の操作によって前記第１リンク（１７ａ）を平面視で時計方向に回動させることで屈伸リンク（１７）を折り曲げてナローガイド（１６）を機体内方へ引き込んで収納姿勢に切り替える構成としたコンバイン。
【請求項２】
前記刈取装置（１０）の後部に横架された刈取横フレーム（２６）を中空のパイプ状に形成し、前記ナローガイド（１６）の屈伸リンク（１７）を伸縮させる伸縮作動機構（２０，２１）と操作レバー（１８）とを操作ワイヤ（２２，２３）で連繋し、該操作ワイヤ（２２，２３）を前記刈取横フレーム（２６）内に挿通した請求項１記載のコンバイン。
【請求項３】
前記刈取前処理部（４Ｆ）における未刈地側の部位に備えた分草支持フレーム（１５）にブラケット（１９）を取り付け、該ブラケット（１９）に上下方向の回動軸（２０）を軸支し、該回動軸（２０）にはアーム（２１）の中間部と第１リンク（１７ａ）の基部とを固定し、前記アーム（２１）の両端には２本の操作ワイヤ（２２，２３）の一端を連結し、該２本の操作ワイヤ（２２，２３）の他端を操作レバー（１８）に連結し、該操作レバー（１８）を一方に回動操作すると、アーム（２１）と第１リンク（１７ａ）が平面視で反時計方向に回動して屈伸リンク（１７）が伸長し、ナローガイド（１６）が機体外方へ押し出されて分草作用姿勢に切り替わり、操作レバー（１８）を他方へ回動操作すると、アーム（２１）と第１リンク（１７ａ）が平面視で時計方向に回動して屈伸リンク（１７）が折れ曲がり、ナローガイド（１６）が機体内方へ引き込まれて収納姿勢に切り替わる構成とし、前記第１リンク（１７ａ）の先端部と第２リンク（１７ｂ）の基部を回動自在に連結する連結部には、伸長した屈伸リンク（１７）を、前記連結部が若干後方へ突出した状態に保持するストッパ（２５）を設けた請求項１または請求項２記載のコンバイン。
【発明の詳細な説明】
【技術分野】
【０００１】
この発明は、刈取部を左右横方向に移動させる左右横移動手段と、刈取部の未刈地側横側部に設けられたナローガイドを外側方に張り出す分草作用姿勢と機体側に収納する収納姿勢とに切替可能な切替操作手段を備えたコンバインに関するものである。
【背景技術】
【０００２】
従来、例えば、特許文献１には、刈取部の未刈地側横側部に、外側方へ張り出す分草作用姿勢と機体側へ収納する収納姿勢とに切替可能なナローガイドを設け、運転操作部の近くに設けられた操作レバーの操作により、ナローガイドを分草作用姿勢と収納姿勢とに切替遠隔操作できるように構成したものが開示されている。
【特許文献１】特開２００７−１７４９５５号公報
【発明の開示】
【発明が解決しようとする課題】
【０００３】
刈取部を左右に横移動させる手段を講じた場合には、この刈取部の横移動に伴ってナローガイドの張り出し量が変化すると、分草作用に支障をきたす問題が生じる。
本発明の課題は、刈取部が左右に横移動してもナローガイドの張り出し量を一定に保持し，分草性能の低下を防止することにある。
【課題を解決するための手段】
【０００４】
この発明は、上記課題を解決すべく次のような技術的手段を講じた。
すなわち、請求項１記載の発明は、植立穀稈を左右に分草する分草体（８）と分草後の穀稈を引き起す引起し装置（９）と引起し後の穀稈を刈り取る刈取装置（１０）と刈取穀稈を掻込搬送する掻込搬送装置（１１）等からなる刈取前処理部（４Ｆ）を刈取横移動用駆動手段（１４）を介して左右方向に移動可能に装備し、該刈取前処理部（４Ｆ）の未刈地側横側部には、左右外側方に張り出す分草作用姿勢と機体側に収納する収納姿勢とに切替可能なナローガイド（１６）を設け、該ナローガイド（１６）に左右方向に伸縮自在な屈伸リンク（１７）を連結するにあたり、該屈伸リンク（１７）に備えた第１リンク（１７ａ）の基部を刈取前処理部（４Ｆ）における未刈地側の部位に上下方向の回動軸（２０）で軸支し、該第１リンク（１７ａ）の先端部に回動自在に連結した第２リンク（１７ｂ）の先端部をナローガイド（１６）に回動自在に連結した構成とし、運転操作部近くに設けた操作レバー（１８）の操作によって前記第１リンク（１７ａ）を平面視で反時計方向に回動させることで屈伸リンク（１７）を伸長作動させてナローガイド（１６）を機体外方へ押し出して分草作用姿勢に切り替え、操作レバー（１８）の操作によって前記第１リンク（１７ａ）を平面視で時計方向に回動させることで屈伸リンク（１７）を折り曲げてナローガイド（１６）を機体内方へ引き込んで収納姿勢に切り替える構成としたコンバインとする。
【０００５】
中割作業時には、左右の走行クローラが未刈稈を踏み込まないように、刈取前処理部（４Ｆ）を左右のクローラ間に位置させた状態で刈取作業を行う。回り刈り作業時には、未刈地側の走行クローラが未刈稈を踏み込まないようにするため、及び、排ワラや切断ワラが未刈稈上に落下しないようにするため、刈取前処理部（４Ｆ）をできるだけ未刈地側に横移動させて刈取作業を能率よく行うことができる。
【０００６】
ナローガイド（１６）は、操作レバー（１８）の切替操作によって、外側方に張り出す分草作用姿勢と機体側に収納する収納姿勢とに切り替えることができ、運転操作部近くから遠隔操作することができる。
【０００７】
作業状況によって刈取前処理部（４Ｆ）を内側又は外側に横移動させても、これに追従してナローガイド（１６）が移動することになり、ナローガイド（１６）の張り出し位置の変化がなく、一定の張り出し量を保ち、所期通りの分草性能を維持する。
【０００８】
請求項２記載の発明は、前記刈取装置（１０）の後部に横架された刈取横フレーム（２６）を中空のパイプ状に形成し、前記ナローガイド（１６）の屈伸リンク（１７）を伸縮させる伸縮作動機構（２０，２１）と操作レバー（１８）とを操作ワイヤ（２２，２３）で連繋し、該操作ワイヤ（２２，２３）を前記刈取横フレーム（２６）内に挿通した請求項１記載のコンバインとする。
【０００９】
操作ワイヤ（２２，２３）は刈取横フレーム（２６）の内部に挿通させているので、操作ワイヤ（２２，２３）を保護することができるばかりでなく、操作ワイヤ（２２，２３）を円滑に案内することができ、ナローガイド（１６）の張出し姿勢及び収納姿勢への切替操作も容易に行える。
請求項３記載の発明は、前記刈取前処理部（４Ｆ）における未刈地側の部位に備えた分草支持フレーム（１５）にブラケット（１９）を取り付け、該ブラケット（１９）に上下方向の回動軸（２０）を軸支し、該回動軸（２０）にはアーム（２１）の中間部と第１リンク（１７ａ）の基部とを固定し、前記アーム（２１）の両端には２本の操作ワイヤ（２２，２３）の一端を連結し、該２本の操作ワイヤ（２２，２３）の他端を操作レバー（１８）に連結し、該操作レバー（１８）を一方に回動操作すると、アーム（２１）と第１リンク（１７ａ）が平面視で反時計方向に回動して屈伸リンク（１７）が伸長し、ナローガイド（１６）が機体外方へ押し出されて分草作用姿勢に切り替わり、操作レバー（１８）を他方へ回動操作すると、アーム（２１）と第１リンク（１７ａ）が平面視で時計方向に回動して屈伸リンク（１７）が折れ曲がり、ナローガイド（１６）が機体内方へ引き込まれて収納姿勢に切り替わる構成とし、前記第１リンク（１７ａ）の先端部と第２リンク（１７ｂ）の基部を回動自在に連結する連結部には、伸長した屈伸リンク（１７）を、前記連結部が若干後方へ突出した状態に保持するストッパ（２５）を設けた請求項１または請求項２記載のコンバインとする。
【発明の効果】
【００１０】
請求項１記載の発明によれば、作業状況によって刈取前処理部（４Ｆ）を左右方向に横移動させても、これに追従してナローガイド（１６）も移動するので、刈取前処理部（４Ｆ）に対するナローガイド（１６）の張り出し位置の変化がなく、一定の張り出し量を保持でき、所期通りの分草性能を維持して刈取作業を円滑に行なうことができる。
【００１１】
請求項２記載の発明によれば、上記請求項１記載の発明の効果を奏するものでありながら、操作ワイヤ（２２，２３）は刈取横フレーム（２６）の内部に挿通してあるので、外部との干渉がなく操作ワイヤ（２２，２３）を確実に保護することができ、しかも、操作ワイヤ（２２，２３）の操作性が良く円滑に案内することができ、ナローガイド（１６）の切替操作を容易に行うことができる。
請求項３記載の発明によれば、上記請求項１または請求項２記載の発明の効果を奏するうえに、ナローガイド（１６）が強い分草作用力を受けても収納方向へ戻ることを阻止することができる。
【発明を実施するための最良の形態】
【００１２】
この発明の実施例を図面に基づき説明する。
図１は、コンバインの正面図を示すものであり、この走行車体１には、左右一対の走行クローラ２，２を備え、後部に搭載した脱穀装置３の前方部に刈取部４を設置し，刈取部４の横側部には運転席５や操作ボックス６等からなる運転操作部を備え、更に、その運転操作部の後方には脱穀粒を一時的に貯留するグレンタンクＧを装備している。
【００１３】
刈取部４は、立毛する穀稈を左右に分草する分草体８…と、分草後の穀稈を引き起す穀稈引起し装置９と、引起し後の穀稈を刈り取る刈取装置１０と、刈取後の穀稈を掻込搬送する掻込搬送装置１１と、掻込搬送後の穀稈を揚上搬送して脱穀装置３のフィードチエン３ａに受け継がせる揚上搬送装置１２等からなり、車体に対し上下動可能な刈取縦フレーム１３を介して昇降する構成としている。
【００１４】
また、分草体８、引起し装置９、刈取装置１０及び掻込搬送装置１１などからなる刈取前処理部４Ｆは、刈取縦フレーム１３に対して左右横方向にスライド可能に装備し、左右横移動用駆動手段の一例であるスライドシリンダ１４の伸縮作動によって横移動する構成としている。図２に示すように、刈取前処理部４Ｆはスライド量Ｌの範囲において横移動する構成であり、中割作業時は、刈取前処理部が走行幅内に位置するよう内側に移動させて図３の状態位置で刈取作業を行い、回り刈り作業時は、刈取前処理部を図３位置から未刈地側外方に横移動させて図４の状態位置で作業を行う。
【００１５】
各分草体８…は、刈取装置１０側から前方に突設する分草支持フレーム１５の先端に取り付けられている。
横移動可能な刈取前処理部４Ｆの未刈地側横側部には、外側方に張り出す分草作用姿勢と機体側に収納する収納姿勢とに切替可能なナローガイド１６が設けられている。このナローガイド１６は、前端部が未刈地側（左側）の分草体８の背部位置で分草支持フレーム１５の前端部に回動自在に枢支され、後端が走行フレーム７に前後方向スライド可能に支持されており、そして、第１リンク１７ａと第２リンク１７ｂからなる横幅方向に伸縮可能な屈伸リンク１７を介して張出し・収納自在に連係され、運転操作部近く（脱穀装置の扱胴カバー上でも良い）に設けられた操作レバー１８によって遠隔操作できるように連動構成されている。左側（未刈地側）の分草支持フレーム１５の基端側にブラケット１９が取り付けられ、ブラケット１９には上下方向に立設する回動軸２０が軸支され、また、この回動軸２０には天秤アーム（アーム）２１と前記屈伸リンク１７の第１リンク１７ａが一体に回動するよう固定されている。天秤アーム２１の両端には２本の操作ワイヤ２２，２３の一端側が連結され、該操作ワイヤ２２，２３の他端側は前記操作レバー１８に連動連結されている。
【００１６】
刈取装置１０の後部に横架され、且つ、各分草支持フレーム１５，１５…を下側から連結保持する刈取横フレーム２６は、中空の角パイプで構成してあり、このフレーム２６内には前記２本の操作ワイヤ２２，２３を挿通して該ワイヤの操作レバー側への引き操作及び反操作レバー側への戻し操作をガイドする構成としている。
【００１７】
しかして、操作レバー１８を一方向に回動操作すると、天秤アーム２１の一端側に接続されたワイヤ２２が操作レバー１８側に引っ張られると同時に、天秤アーム２１の他端側に接続されたワイヤ２３が反操作レバー側に引き戻される。これにより、天秤アーム２１が反時計方向に揺動し、回動軸２０と一体の第１リンク１７ａが図５の状態から外方に向けて回動する。かかる回動により、屈折状態の屈伸リンク１７が図６に示すように直線状に伸び切ってナローガイド１６を外方に押し出し、ナローガイドが外方に張り出して分草作用姿勢に切り替えられる。また、操作レバー１８を他方向に回動操作すると、ワイヤ２３が操作レバー１８側に引っ張られると同時に、ワイヤ２２が反操作レバー側に引き戻されることにより、天秤アーム２１が時計方向に揺動し、回動軸２０が同方向に回動して、これと一体の第１リンク１７ａが内方に向けて回動する。これにより、直線状態にあるリンク１７ａ，１７ｂが縮む方向に折れ曲がりナローガイド１６を内方に引き込み、ナローガイドが内方へ引退して図５に示す収納姿勢に切り替えられる。
【００１８】
なお、ナローガイドの外方への張り出し時における第１リンク１７ａと第２リンク１７ｂとの連結ピン２４による連結部には、この連結部が若干後方へ凸となる折れ曲がり状態で保持されるようにストッパ２５を設けることで、ナローガイドが強力な分草作用力を受けても収納方向への戻りを確実に阻止することができる。
【００１９】
操作ワイヤ２２，２３を接続する天秤アーム２１を、刈取横フレーム２６の上下幅内に配置することによって、このフレーム２６内に挿通する操作ワイヤ２２，２３の過度の屈曲防止が図られ、ワイヤの案内作用がスムースに行える。
【００２０】
また、天秤アーム２１と刈取横フレーム２６端部との間にはワイヤ２２，２３の屈曲部分をガイドするＬ型のエルボガイド金具２７が設けられている。このエルボガイド金具２７は、この端部をフレーム２６の角パイプ入口端部に挿入固定することによってワイヤの屈曲部がガイドされるので、ワイヤの移動がスムースに行え、ナローガイドの押し出し、引き戻し操作を容易に行うことができる。
【００２１】
図９に示すように、エンジンから入力される刈取入力軸３０を内装軸架した入力伝動ケース３１を車体側から立設する懸架台上に架設し、入力伝動ケースの中間部位から前方下方に延びる刈取縦フレーム１３の前端部から左右横方向に延びる刈取伝動ケース３２には、刈取部４の刈取装置１０や掻込搬送装置１１等を架設して伝動可能に設け、この刈取部全体が前記刈取入力軸３０を回動支点として上下に昇降する構成としている。また、刈取入力軸３０からは、右側の引起し装置９を回転駆動すべく駆動スプロケット９ａに連動連結する引起し伝動軸３３が前方に向けて突設されている。引起し伝動軸３３は、伸縮可能なスプライン軸部３４と、左右上下に屈折可能なユニバーサルジョイント３５，３５を介して左右上下揺動及び前後伸縮自在に構成されている。引起し伝動軸３３の途中部より右引起し伝動パイプ３６内の伝動軸３７、刈取伝動ケース３２内の伝動軸及び左引起し伝動ケース３８内の伝動軸を経て左引起し装置９を駆動すべく連動構成している。この図例（図９）における前記操作ワイヤ２２，２３は、刈取横フレーム２６内を左端側から挿通して右端側に引き出し、これより右引起し伝動パイプ３６上へ配策し引起し伝動軸３３上を通して前記操作レバー１８に連絡すべく構成している。これにより、ワイヤのたるみや屈曲を防止でき操作性が向上する。
【００２２】
図１０及び図１１に示す実施例は、多条刈（４条刈）コンバインにおいて、中央側の引起し装置９Ｃ，９Ｃの背部に設けられた合流搬送カバー４０の上部にナローガイド１６の操作レバー１８を配置した構成を示すものである。図例の操作レバー１８は、左右方向に設けられたガイド溝４１より上方に突出させ、操作レバーの支点軸４２や操作アーム４３、この操作アームに連結する操作ワイヤ２２，２３の操作アーム側端部をカバー４０内に内装して外部より保護する構成としている。また、操作レバーは左右横方向の操作で、ナローガイド１６を機体より外方への分草作用姿勢と機体側内方への収納姿勢とに切り替えできるように、操作レバーの操作方向とナローガイドの作動方向を一致させる構成としている。つまり、操作レバー１８を左方向に操作すると、ナローガイドは左外方に張り出し、操作レバーを右方向に操作すると、ナローガイドは右内方に収納する。
【図面の簡単な説明】
【００２３】
【図１】コンバインの正面図
【図２】刈取部の左右横移動範囲を示した平面図
【図３】コンバイン要部の平面図
【図４】同上要部の平面図
【図５】刈取部要部の平面図
【図６】同上要部の平面図
【図７】刈取部の要部の側面図
【図８】同上要部の正面図
【図９】刈取部要部の側面図
【図１０】別実施例のコンバインの正面図
【図１１】同上要部の平面図
【符号の説明】
【００２４】
１    走行車体
４Ｆ  刈取前処理部
８    分草体
９    引起し装置
１０    刈取装置
１１    掻込搬送装置
１４    スライドシリンダ（刈取横移動用駆動手段）
１５ 分草支持フレーム
１６    ナローガイド
１７    屈伸リンク
１７ａ 第１リンク
１７ｂ 第２リンク
１８    操作レバー
１９ ブラケット
２０    回動軸（伸縮作動機構）
２１    天秤アーム（アーム（伸縮作動機構））
２２    操作ワイヤ
２３    操作ワイヤ
２５ ストッパ
２６    刈取横フレーム
【図１】
0005277705.tif 000002
【図２】
0005277705.tif 000003
【図３】
0005277705.tif 000004
【図４】
0005277705.tif 000005
【図５】
0005277705.tif 000006
【図６】
0005277705.tif 000007
【図７】
0005277705.tif 000008
【図８】
0005277705.tif 000009
【図９】
0005277705.tif 000010
【図１０】
0005277705.tif 000011
【図１１】
0005277705.tif 000012